(57)【特許請求の範囲】
【請求項１】
溶媒及びこの溶媒中に溶解した重合性及び／又は架橋性材料を含んだ連続相と、前記重合性及び／又は架橋性材料と比較して前記溶媒に対する相溶性がより低い液状添加剤を含んだ分散相とからなるエマルジョンから塗膜を形成し、前記塗膜を硬化させることによって得られるランダムパターンを具備し、
前記ランダムパターンは、第１部分と、厚さが連続的に変化している第２部分と、前記第１部分と比較して厚さがより小さい第３部分とを含み、
前記第２部分の少なくとも一部では、前記第１部分から前記第３部分へ向けて明るさが連続的に減少しており、
前記ランダムパターンを光学的に読み取ることにより得られる階調画像を二値化してなる二値画像は、前記二値化に使用する閾値に応じて変化する照合素子。
【請求項２】
前記ランダムパターンは、前記重合性及び／又は架橋性材料の硬化物と、この硬化物中で分散した顔料及び／又は染料とを含んだ請求項１に記載の照合素子。
【請求項３】
前記ランダムパターンと向き合った鏡面反射層を更に具備し、前記ランダムパターンは前記顔料及び／又は染料として白色顔料を含んだ請求項２に記載の照合素子。
【請求項４】
前記ランダムパターンは、前記重合性及び／又は架橋性材料の硬化物と、この硬化物中で分散した蛍光材料とを含み、白色光で照明して肉眼で観察した場合に、前記ランダムパターンに対応した画像を表示しない請求項１に記載の照合素子。
【請求項５】
赤外光で照明して赤外線カメラで観察した場合に、前記ランダムパターンに対応した画像を表示し、白色光で照明して肉眼で観察した場合に、前記ランダムパターンに対応した画像を表示しない請求項１に記載の照合素子。
【請求項６】
前記ランダムパターンに割り当てられた文字及び／又は符号を表示するコードパターンを更に具備した請求項１乃至５の何れか１項に記載の照合素子。
【請求項７】
前記液状添加剤はシリコン系添加剤を含んだ請求項１乃至６の何れか１項に記載の照合素子。
【請求項８】
請求項１乃至７の何れか１項に記載の照合素子と、
前記照合素子と向き合った粘着層と
を具備した粘着ラベル。
【請求項９】
請求項１乃至７の何れか１項に記載の照合素子を含んだ転写材層と、
前記転写材層を剥離可能に支持した基材と
を具備した転写箔。
【請求項１０】
請求項１乃至７の何れか１項に記載の照合素子と、
前記照合素子が貼り付けられた物品と
を具備したラベル付き物品。
【発明の詳細な説明】
【技術分野】
【０００１】
本発明は、照合技術に関する。
【背景技術】
【０００２】
特許文献１に記載されているように、有価証券等の真偽判定には、紙の繊維の配置を利用することができる。
【０００３】
紙の繊維の配置は不規則であるので、或る紙について観察される繊維のパターンは、他の紙について観察される繊維のパターンとは異なっている。また、紙の或る領域について観察される繊維のパターンは、その紙の他の領域について観察される繊維のパターンとは異なっている。そして、この不規則性は、人為的に生じさせている訳ではなく、紙自体が本来有している性質である。
【０００４】
それ故、この繊維パターンは、個人識別における指紋や網膜の如く利用することが可能である。例えば、全ての真正品について、繊維パターンを、データベースに予め登録しておく。そして、真正品であるか否かが不明の物品の繊維パターンを、登録されている繊維パターンと照合する。これにより、その物品の真偽を判定することができる。
【先行技術文献】
【特許文献】
【０００５】
【特許文献１】特開２００４−１０２５６２号公報
【発明の概要】
【発明が解決しようとする課題】
【０００６】
上述した技術は、紙からなる物品の真偽判定に対しては、有利に適用され得る。しかしながら、この技術は、紙以外の物品での利用には適していない。  
そこで、本発明は、様々な物品で利用可能な照合技術を提供することを目的とする。
【課題を解決するための手段】
【０００７】
本発明の第１側面によると、溶媒及びこの溶媒中に溶解した重合性及び／又は架橋性材料を含んだ連続相と、前記重合性及び／又は架橋性材料と比較して前記溶媒に対する相溶性がより低い液状添加剤を含んだ分散相とからなるエマルジョンから塗膜を形成し、前記塗膜を硬化させることによって得られるランダムパターンを具備し、前記ランダムパターンは、第１部分と、厚さが連続的に変化している第２部分と、前記第１部分と比較して厚さがより小さい第３部分とを含み、前記第２部分の少なくとも一部では、前記第１部分から前記第３部分へ向けて明るさが連続的に減少しており、前記ランダムパターンを光学的に読み取ることにより得られる階調画像を二値化してなる二値画像は、前記二値化に使用する閾値に応じて変化する照合素子が提供される。
【０００８】
本発明の第２側面によると、第１側面に係る照合素子と、前記照合素子と向き合った粘着層とを具備した粘着ラベルが提供される。
【０００９】
本発明の第３側面によると、第１側面に係る照合素子を含んだ転写材層と、前記転写材層を剥離可能に支持した基材とを具備した転写箔が提供される。
【００１０】
本発明の第４側面によると、第１側面に係る照合素子と、前記照合素子が貼り付けられた物品とを具備したラベル付き物品が提供される。
【発明の効果】
【００１１】
本発明によると、様々な物品で利用可能な照合技術が提供される。
【図面の簡単な説明】
【００１２】
【図１】本発明の一態様に係る照合素子を概略的に示す平面図。
【図２】図１に示す照合素子の一部を拡大して示す平面図。
【図３】図２に示す照合素子のＩＩＩ−ＩＩＩ線に沿った断面図。
【図４】図１に示す照合素子のＩＶ−ＩＶ線に沿った断面図。
【図５】図１に示す照合素子のランダムパターンが表示する階調画像の拡大写真。
【図６】図５に示す階調画像の更に拡大した写真。
【図７】図５に示す階調画像を二値化してなる二値画像の一例を示す図。
【図８】図５に示す階調画像を二値化してなる二値画像の他の例を示す図。
【図９】転写箔の一例を概略的に示す断面図。
【図１０】粘着ラベルの一例を概略的に示す断面図。
【図１１】転写箔の他の例を概略的に示す断面図。
【図１２】粘着ラベルの他の例を概略的に示す断面図。
【図１３】粘着ラベルの更に他の例を概略的に示す断面図。
【図１４】粘着ラベルの更に他の例を概略的に示す断面図。
【図１５】ラベル付き物品の一例を概略的に示す平面図。
【図１６】ネットワークを利用した照合方法の一例を示す図。
【発明を実施するための形態】
【００１３】
以下、本発明の態様について、図面を参照しながら詳細に説明する。なお、同様又は類似した機能を発揮する構成要素には全ての図面を通じて同一の参照符号を付し、重複する説明は省略する。
【００１４】
図１は、本発明の一態様に係る照合素子を概略的に示す平面図である。図２は、図１に示す照合素子の一部を拡大して示す平面図である。図３は、図２に示す照合素子のＩＩＩ−ＩＩＩ線に沿った断面図である。図４は、図１に示す照合素子のＩＶ−ＩＶ線に沿った断面図である。
【００１５】
図１乃至図４に示す照合素子１０は、例えば、物品の真偽判定に利用する。或いは、この照合素子１０は、情報の取得及び登録などへの制限を解除するための、又は、戸及び蓋などに設けられた錠を開閉するための鍵として利用することもできる。
【００１６】
照合素子１０を物品の真偽判定に利用する場合、この照合素子１０は、真正品としての物品に支持させる。ここでは、一例として、照合素子１０は物品に貼り付けて使用することとする。
【００１７】
この照合素子１０は、図３及び図４に示すように、第１保護層１１０と、ランダムパターン１２０と、第２保護層１３０と、反射層１４０ａと、印刷層１５０ａ及び１５０ｂとを含んでいる。
【００１８】
第１保護層１１０は、照合素子１０を物品に貼り付けたときに、その最表面に位置する層である。保護層１１０は、光透過性を有しており、典型的には透明である。保護層１１０は、ランダムパターン１２０並びに印刷層１５０ａ及び１５０ｂなどを損傷から保護する。
【００１９】
印刷層１５０ａは、図４に示すように、保護層１１０上に形成された印刷パターンである。印刷層１５０ａは、例えば黒色の着色層である。印刷層１５０ａは、図１に示す画像ＩCを表示するコードパターンを含んでいる。
【００２０】
コードパターンは、照合素子１０に対して個別に付与されるコードを表示する。図１に示す例では、コードパターンは、画像ＩCとして、一次元コードを表示している。コードパターンは、一次元コードの代わりに又は一次元コードに加えて、二次元コード並びに数字及びアルファベットなどの文字の少なくとも一方を表示してもよい。
【００２１】
印刷層１５０ｂは、図４に示すように、保護層１１０の一部と印刷層１５０ａとを被覆している。印刷層１５０ｂは、図１に示す画像ＩRの位置で開口している。
【００２２】
印刷層１５０ｂは、印刷層１５０ａとは異なる色、例えば白色を表示する層である。印刷層１５０ｂが表示する画像は、図１に示す画像ＩCの背景を構成する。後で説明するように、印刷層１５０ａ及び１５０ｂは、省略することができる。
【００２３】
ランダムパターン１２０は、図３及び図４に示すように、保護層１１０及び印刷層１５０ｂ上に形成された層である。ランダムパターン１２０のうち印刷層１５０ｂ上に位置した部分は、省略することができる。
【００２４】
ランダムパターン１２０は、図３及び図４に示すように、厚さが大きい第１部分と、厚さが連続的に変化している第２部分と、厚さが小さい第３部分とを含んでいる。ランダムパターン１２０の第１、第２及び第３部分は、それぞれ、図２及び図３の領域Ａ１、Ａ２及びＡ３に対応している。
【００２５】
なお、図３及び図４では、理解を容易にするために、ランダムパターン１２０の寸法を縦方向に著しく拡大している。例えば、第１部分の厚さが１乃至５μｍ程度であり、第３部分の厚さが０乃至１μｍ程度である場合、領域Ａ２の径は数１００μｍであり、領域Ａ３の径は数１００μｍである。
【００２６】
ランダムパターン１２０は、樹脂硬化物と顔料及び／又は染料とを含んでいる。ここでは、一例として、ランダムパターン１２０は、樹脂硬化物と白色顔料との混合物からなることとする。このようなランダムパターン１２０は、照合素子１０を白色光で照明し、正反射光が知覚されない条件下で観察した場合に、図１に示す画像ＩRを表示する。
【００２７】
画像ＩRは、階調画像であって、ランダムパターン１２０の厚さの分布に対応した明るさの分布を有している。具体的には、画像ＩRは、ランダムパターン１２０の厚さが小さい部分では暗く、ランダムパターン１２０の厚さが小さい部分では明るい。
【００２８】
なお、ランダムパターン１２０は、顔料及び染料を含んでいなくてもよい。例えば、ランダムパターン１２０は、顔料及び染料の代わりに、顔料及び染料以外の機能性材料を含んでいてもよい。或いは、ランダムパターン１２０は、顔料及び染料の少なくとも一方に加えて、顔料及び染料以外の機能性材料を更に含んでいてもよい。
【００２９】
この機能性材料としては、例えば、赤外線吸収材料、蛍光材料、紫外線吸収材料、液晶粒子及びシリカなどの光学的特性を付与する材料；帯電防止剤及び導電性材料などの電気的特性を付与する材料；磁性粉などの磁気的特性を付与する材料；アルミニウム粉及びガラス粒子などの意匠性を付与する材料；又はそれらの２つ以上の組み合わせを使用することができる。
【００３０】
第２保護層１３０は、ランダムパターン１２０上に形成されている。保護層１３０は、光透過性を有しており、典型的には透明である。保護層１３０は、樹脂硬化物を含んでおり、保護層１１０からランダムパターン１２０が脱落するのを防止する役割を果たす。保護層１３０は、省略することができる。
【００３１】
反射層１４０ａは、保護層１３０を被覆している。反射層１４０ａは、例えば金属又は合金からなる。反射層１４０ａとして、単層構造又は多層構造を有している透明誘電体層を使用してもよい。反射層１４０ａは、省略することができる。
【００３２】
この照合素子１０のランダムパターン１２０が表示する画像ＩRは、以下に説明する特徴を有している。
【００３３】
図５は、図１に示す照合素子のランダムパターンが表示する階調画像の拡大写真である。図６は、図５に示す階調画像の更に拡大した写真である。
【００３４】
図５に示す写真は、照合素子１０の保護層１１０を、その法線に対して４５°の角度を成す方向から白色光で照明し、電荷結合素子画像センサで図１に示す画像ＩRを撮像することにより得られたものである。図６に示す写真は、図５に示す写真の一部を拡大したものである。
【００３５】
図５及び図６に示す写真において、明るい部分は図２及び図３に示す領域Ａ１に相当し、暗い部分は図２及び図３に示す領域Ａ３に相当し、中間の明るさの部分は図２及び図３に示す領域Ａ２に相当している。
【００３６】
図５及び図６から分かるように、領域Ａ２及びＡ３は、不規則な形状を有しており、不均一に分布している。また、領域Ａ２の少なくとも一部では、領域Ａ１から領域Ａ３へ向けて明るさが連続的に減少している。
【００３７】
このような特徴を有している画像ＩRを二値化すると、この二値化に際して設定する閾値の大きさに応じて異なる二値画像が得られる。
【００３８】
図７は、図５に示す階調画像を二値化してなる二値画像の一例を示す図である。図８は、図５に示す階調画像を二値化してなる二値画像の他の例を示す図である。
【００３９】
図７に示す二値画像ＩR１を得るための二値化に際しては、画像の明るさについて第１閾値を設定している。他方、図８に示す二値画像ＩR２を得るための二値化に際しては、画像の明るさについて、第１閾値よりも大きな第２閾値を設定している。
【００４０】
図７に示す二値画像ＩR１と図８に示す二値画像ＩR２とは、同一の階調画像から得られたものであるにも拘らず、暗部が形成しているパターンが異なっている。また、二値化に際し、第１及び第２閾値とは異なる閾値を設定すると、暗部が形成しているパターンが二値画像ＩR１及びＩR２とは異なる二値画像が得られる。即ち、閾値の大きさに応じて異なる二値画像が得られる。
【００４１】
この照合素子１０のランダムパターン１２０は、後で説明するように、個人識別における指紋や網膜の如く利用することが可能である。そして、後述するように、この照合素子１０には、物品から剥離しようとした場合に容易に破壊される構造を採用することができる。即ち、この照合素子１０は、物品に貼り付けて使用した場合であっても、偽造又は変造される可能性が低い。従って、この照合技術は、様々な物品で利用することができる。
【００４２】
次に、照合素子１０及びこの照合素子１０を含んだラベル付き物品の製造方法を説明する。ここでは、一例として、転写箔を用いた製造方法を説明する。
【００４３】
図９は、転写箔の一例を概略的に示す断面図である。なお、図９では、簡略化のため、ランダムパターン１２０を平坦な表面を有している層として描いている。
【００４４】
図９に示す転写箔２０を製造するに際しては、まず、支持体２１０を準備する。この支持体２１０としては、ポリエチレンテレフタレートフィルムなどの比較的高い耐熱性を有しているフィルムを使用する。支持体２１０の表面には、例えばフッ素樹脂又はシリコーン樹脂を含んだ離型層を設けておいてもよい。
【００４５】
次に、支持体２１０上に、保護層１１０を形成する。例えば、支持体２１０上に樹脂を塗布する。この樹脂としては、例えば、アクリル樹脂、ウレタン樹脂又はエポキシ樹脂を使用する。また、必要に応じ、保護層１１０と支持体２１０の間に熱的に剥離可能に形成された剥離層（図示せず）を設けてもよい。
【００４６】
次いで、保護層１１０上に、印刷層１５０ａ及び１５０ｂを順次形成する。印刷層１５０ａは、例えば、インクジェット記録法又はサーマルヘッドを用いた熱転写記録法によって形成する。印刷層１５０ｂは、例えば、オフセット印刷法、グラビア印刷法、スクリーン印刷法、フレキソ印刷法、凸版印刷法、ホットスタンプを用いた熱転写記録法、サーマルヘッドを用いた熱転写記録法、又はインクジェット記録法によって形成する。
【００４７】
なお、ここでは、コードパターンを印刷層１５０ａによって構成しているが、コードパターンは他の方法によって形成してもよい。例えば、コードパターンは、レーザビームを照射することによって材料を炭化するレーザエングレービングによって形成してもよい。或いは、コードパターンは、感熱発色剤を含んだ層を形成し、この層にレーザビームで描画することにより形成してもよい。
【００４８】
また、照合素子１０から、コードパターンを省略してもよい。例えば、照合素子１０を支持させる物品がコードパターンを含んでいれば、照合素子１０はコードパターンを含んでいなくてもよい。
【００４９】
その後、以下に説明する方法により、保護層１１０及び印刷層１５０ｂ上にランダムパターン１２０を形成する。
【００５０】
まず、溶媒と重合性及び／又は架橋性材料と顔料及び／又は染料と液状添加剤とを含有したエマルジョンを調製する。具体的には、連続相は溶媒と重合性及び／又は架橋性材料と顔料及び／又は染料とを含み、分散相は液状添加剤を含んだエマルジョンを調製する。
【００５１】
溶媒としては、非水溶媒及び水の何れも使用することができる。非水溶媒としては、例えば、ベンゼン、トルエン、キシレン、ノルマルヘキサン、ミネラルターペン、ソルベッソ１００及びソルベッソ１５０などの芳香族化合物；メタノール、エタノール、イソプロピルアルコール、ノルマルブタノール、イソブタノール及び３−メチル３−メトキブタノールなどのアルコール；アセトン、メチルエチルケトン、メチルイソブチルケトン、ジアセトンアルコール及びシクロヘキサノンなどのケトン；酢酸エチル、酢酸ノルマルブチル、酢酸イソブチル、セロソルブアセテート（エチレングリコールモノエチルエーテルアセテート）及びプロピレングリコールモノメチルエーテルアセテートなどのエステル；ブチルセロソルブ（エチレングリコールモノブチルエーテル、ブチルグリコール）及びエチルセロソルブ（エチレングリコールモノエチルエーテル）などのエーテル；又はそれらの２つ以上の混合物を使用する。
【００５２】
重合性及び／又は架橋性材料としては、例えば、高分子化合物、その単量体若しくは低重合体、又はそれらの混合物を使用する。例えば、重合性及び／又は架橋性材料として、アクリル樹脂及びポリエステル樹脂などの熱可塑性樹脂、アミノ樹脂及び二液型ポリウレタン樹脂などの熱硬化性樹脂、又は紫外線硬化樹脂などの光硬化樹脂を使用する。
【００５３】
重合性及び／又は架橋性材料は、溶媒中に溶解させる。従って、重合性及び／又は架橋性材料と溶媒とは、高い相溶性を示すものを選択する。例えば、重合性及び／又は架橋性材料が親水基を有していない場合には、極性が低い非水溶媒を使用する。また、重合性及び／又は架橋性材料が水溶性樹脂である場合には、水などの極性溶媒を使用する。
【００５４】
溶媒に対する重合性及び／又は架橋性材料の質量比は、例えば１０乃至５５質量％の範囲内とし、典型的には２５乃至４０質量％の範囲内とする。
【００５５】
顔料及び／又は染料は、溶媒中に分散又は溶解させる。染料を使用してもよいが、顔料は、染料と比較して耐久性に優れている。
【００５６】
顔料としては、有機顔料、無機顔料、又はそれらの混合物を使用する。  
無機顔料としては、例えば、酸化チタン（ＴｉＯ2）、亜鉛華（ＺｎＯ）、カーボンブラック（Ｃ）、黒鉛（Ｃ）、鉄黒（Ｆｅ3Ｏ4）、ベンガラ（Ｆｅ2Ｏ3）、鉛丹（Ｐｂ3Ｏ4）、モリブデートオレンジ（ＰｂＣｒＯ4・ｎＰｂＭｏＯ4ｍＰｂＳＯ4）、黄鉛（ＰｂＣｒＯ4・ｎＰｂＳＯ4）、黄酸化鉄（ＦｅＯＯＨ）、チタンイエロー（ＴｉＯ2・ＮｉＯ2・Ｓｂ2Ｏ3）、クロムグリーン（黄鉛と紺青の混合物）、酸化クロム（Ｃｒ2Ｏ3）、紺青（ＫＦｅ[Ｆｅ（ＣＮ）6］）、群青（２（Ｎａ2Ｏ・Ａｌ2Ｏ3・２ＳｉＯ2）・Ｎａ2Ｓ3）、マンガン紫（（ＮＨ4）Ｍｎ（Ｐ2Ｏ７））、アルミニウム粉（Ａｌ）、ブロンズ粉（ＣｕとＺｎの合金）、雲母（マイカ）、酸化アルミ（Ａｌ2Ｏ3）、二酸化ケイ素（ＳｉＯ2）、オキシ塩化ビスマス、ガラス粒子、蛍光顔料、炭酸マグネシウム（ＭｇＯ）、カオリン、その他複合酸化物、又はそれらの２つ以上の混合物を使用する。
【００５７】
有機顔料としては、例えば、ナフトールカーミン、パーマネントレッド、ボンマルーン、ボルドー、ナフトールレッド、トルイジンレッド及びファーストイエローなどのモノアゾ系顔料；縮合アゾレッド、縮合アゾスカーレット及び縮合アゾイエローなどの縮合アゾ系顔料；ジスアゾイエローなどのジスアゾ系顔料；キナクリドンスカーレット、キナクリドンマルーン、キナクリドンマゼンタ及びキナクリドンゴールドなどのキナクリドン系顔料；ピランスロンレッドなどのピランスロン系顔料；ジブロムアンザンスロンレッドなどの、ジブロムアンザンスロン系顔料；チオインジゴボルドーなどのチオインジゴ系顔料；ペリレンレッド、ペリレンマルーン及びペリレンスカーレットなどのペリレン系顔料；ベンズイミダゾロンオレンジなどのベンズイミダゾロン系顔料；ペリノンオレンジなどのペリノン系顔料；銅アゾメチンイエローなどの金属錯酸アゾメチン系顔料；ベンズイミダゾロンイエローなどのベンズイミダゾロン系顔料；イソインドリノンイエローなどのイソインドリノン系顔料；アントラピリミジンイエローなどのアントラピリミジン系顔料；フラバントロンイエローなどのフラバントロン系顔料；キノフタロンイエローなどのキノフタロン系顔料ニッケルアゾイエローなどの金属錯塩アゾ系顔料；フタロシアニングリーンなどのフタロシアニン系顔料；フタロシアニンブルー及び塩臭素化銅フタロシアニングリーンなどの銅フタロシアニン系顔料；無金属フタロシアニンブルーなどの銅フリーフタロシアニン顔料；インダントロンブルーなどのインダントロン系顔料；キナクリドンレッドなどのキナクリドン系顔料；ジオキサジンバイオレットなどのジオキサン系顔料；その他有機顔料；又はそれらの２つ以上の混合物を使用する。  
顔料には、その分散性を向上させるために表面処理を施してもよい。
【００５８】
エマルジョンの乾燥質量に対する顔料又は染料の質量の比は、ランダムパターン１２０に要求される外観や色調に応じて異なる。例えば、顔料として酸化チタンを使用する場合、エマルジョンの乾燥質量に対する顔料又は染料の質量の比を約４０％とすると、ランダムパターン１２０に白色を表示させることができる。
【００５９】
液状添加剤は、重合性及び／又は架橋性材料と比較して、溶媒に対する相溶性がより低い。典型的には、液状添加剤は、溶媒に対して不溶性であり、溶媒と重合性及び／又は架橋性材料とを含んだ混合物に対しても不溶性である。液状添加剤は、非重合性及び非架橋性であり、このエマルジョン中の他の成分に対して非反応性である。
【００６０】
液状添加剤としては、例えば、シリコーン油などのシリコン系添加剤、ポリテトラフルオロエチレン油などのフッ素系添加剤、ポリエチレンワックスなどのワックス系添加剤、動植物油及び鉱物油などの油脂系添加剤又はそれらの組み合わせを使用することができる。
【００６１】
このエマルジョンの乾燥質量に対する液状添加剤の質量の比は、例えば０．１乃至０．５％の範囲内とする。
【００６２】
このエマルジョンは、溶媒に対して可溶性の添加剤を更に含んでいてもよい。例えば、このエマルジョンは、顔料の分散性を高める添加剤を更に含んでいてもよい。
【００６３】
次に、このエマルジョンを、保護層１１０及び印刷層１５０ｂ上に供給する。例えば、このエマルジョンを、保護層１１０及び印刷層１５０ｂ上に塗布する。これにより塗膜を形成する。この塗膜は、下地の面積に対するランダムパターン１２０の質量の比が、例えば１．０乃至２．０ｇ／ｍ2の範囲内となるように形成する。
【００６４】
続いて、この塗膜を乾燥させる。例えば、１９０℃で２０秒間に亘る乾燥を行う。以上のようにして、ランダムパターン１２０を得る。
【００６５】
このようにして得られるランダムパターン１２０は、図３及び図４に示すように、厚さが大きい第１部分と、厚さが連続的に変化している第２部分と、厚さが小さい第３部分とを含んでいる。第２及び第３部分は、不規則な形状を有しており、不均一に分布している。この不規則性は、人為的に生じさせている訳ではなく、自然発生した性質である。そして、或るランダムパターン１２０について観察される第２及び第３部分の形状及び配置と、他のランダムパターン１２０について観察される第２及び第３部分の形状及び配置とが完全に一致する確率は殆どゼロである。従って、このランダムパターン１２０は、個人識別における指紋や網膜の如く利用することが可能である。
【００６６】
なお、この方法によって得られるランダムパターン１２０には、他の方法で類似のパターンを形成した場合には得られない特徴がある。
【００６７】
例えば、このランダムパターン１２０は、厚さのばらつきを有しており、この厚さのばらつきに対応した階調画像ＩRを表示する。画像ＩRが階調画像であることは、例えば５０倍の倍率で観察した場合であっても確認することができる。即ち、中間調を表示する部分が比較的大きい。換言すれば、ランダムパターン１２０の厚さは、面内方向に急峻に変化している訳ではなく、緩やかに変化している。このような構造をフォトリソグラフィなどのパターニングを利用したプロセスで再現することは、不可能であるか又は困難である。
【００６８】
また、ランダムパターン１２０の第３部分には、少量であるが顔料が存在している場合がある。このような構造もフォトリソグラフィなどのパターニングを利用したプロセスで再現することは、不可能であるか又は困難である。
【００６９】
次に、ランダムパターン１２０上に保護層１３０を形成する。保護層１３０は、例えば、ランダムパターン１２０上に樹脂を塗布し、これを硬化させることにより得られる。
【００７０】
続いて、保護層１３０上に、反射層１４０ａを形成する。反射層１４０ａは、例えば、真空蒸着法及びスパッタリング法などの気相堆積法によって形成する。反射層１４０ａは、金属又は合金からなる小片を含んだ樹脂を保護層１３０上に塗布し、これを硬化させることにより形成してもよい。
【００７１】
更に、反射層１４０ａ上に、接着層２２０を形成する。接着層２２０の材料としては、例えば、熱可塑性樹脂を使用する。
【００７２】
以上のようにして、転写箔２０を完成する。なお、この転写箔２０は、支持体２１０と、この支持体２１０によって剥離可能に支持された転写材層とからなる。転写材層は、保護層１１０と、印刷層１５０ａ及び１５０ｂと、ランダムパターン１２０と、保護層１３０と、反射層１４０ａと、接着層２２０とを含んでいる。
【００７３】
その後、転写材層の一部又は全体を、支持体２１０から物品上へと熱転写する。このようにして、接着層２２０を介して物品上へと貼り付けられた照合素子１０を得る。即ち、この照合素子１０を物品に支持させてなるラベル付き物品を得る。
【００７４】
照合素子１０を含んだラベル付き物品は、転写箔２０を用いて製造する代わりに、粘着ラベルを用いて製造することもできる。
【００７５】
図１０は、粘着ラベルの一例を概略的に示す断面図である。  
図１０に示す粘着ラベル３０は、照合素子１０と、粘着層３２０とを含んでいる。粘着層３２０は、照合素子１０の裏面を被覆している。
【００７６】
照合素子１０は、以下の点を除き、図１乃至図４を参照しながら説明した照合素子１０と同様である。即ち、この照合素子１０は、保護層１１０の代わりに、保護層１１０’を含んでいる。そして、この照合素子１０は、脆性層１６０を更に含んでいる。
【００７７】
保護層１１０’は、光透過性を有しており、典型的には透明である。保護層１１０’は、ランダムパターン１２０並びに印刷層１５０ａ及び１５０ｂなどを損傷から保護する。加えて、保護層１１０’は、ランダムパターン１２０並びに印刷層１５０ａ及び１５０ｂなどを支持する基材としての役割を果たしている。
【００７８】
脆性層１６０は、保護層１１０’とランダムパターン１２０並びに印刷層１５０ａ及び１５０ｂとの間に介在している。脆性層１６０は、光透過性を有しており、典型的には透明である。脆性層１６０は、物品に貼り付けた照合素子１０をこの物品から剥離しようとしたときに脆性破壊を生じる層である。脆性層１６０を設けると、照合素子１０の不正使用を困難とすることができる。
【００７９】
物品に貼り付ける前の粘着ラベル３０は、典型的には、剥離紙に貼り付けておく。そして、この粘着ラベル３０は、ラベル付き物品を製造する際に剥離紙から剥がし、物品に貼り付ける。
【００８０】
図９に示す転写箔２０及び図１０に示す粘着ラベル３０には、様々な変形が可能である。
【００８１】
図１１は、転写箔の他の例を概略的に示す断面図である。  
図１１に示す転写箔２０は、印刷層１５０ａ及び１５０ｂの代わりに着色層１５０を含み、回折構造形成層１７０と反射層１４０ｂとマスク層１８０とを更に含んでいること以外は、図９を参照しながら説明した転写箔２０と同様である。
【００８２】
着色層１５０は、保護層１３０と反射層１４０ａとの間に介在している。着色層１５０は、光透過性を有しており、典型的には透明である。着色層１５０は、図１に示す画像ＩRの暗部を着色する役割を果たす。着色層１５０を設けた場合、反射層１４０ａは省略することができる。また、反射層１４０ａを省略した場合、着色層１５０は遮光性であってもよい。
【００８３】
回折構造形成層１７０は、保護層１１０とランダムパターン１２０との間に介在している。回折構造形成層１７０は、光透過性を有しており、典型的には透明である。回折構造形成層１７０のランダムパターン１２０と向き合った面には、レリーフ型の回折格子又はホログラムが設けられている。このように、回折格子及びホログラムなどの回折構造を設けると、照合素子１０の偽造がより困難となる。
【００８４】
反射層１４０ｂは、回折構造形成層１７０の回折格子又はホログラムが設けられた面を部分的に被覆している。反射層１４０ｂは、回折構造の回折効率を高める。なお、この転写箔２０から得られる照合素子１０は、反射層１４０ｂの開口部に対応した位置で、図１に示す画像ＩRを表示する。
【００８５】
反射層１４０ｂは、例えば、金属又は合金からなる。反射層１４０ｂとして、単層構造又は多層構造を有している透明誘電体層を使用してもよい。
【００８６】
マスク層１８０は、回折構造形成層１７０及び反射層１４０ｂを被覆している。マスク層１８０は、光透過性を有しており、典型的には透明である。マスク層１８０は、ランダムパターン１２０に平坦な下地を提供する役割を果たす。回折構造形成層１７０のうち反射層１４０ｂで被覆されていない部分が平坦な表面を有している場合には、この部分にマスク層１８０を設ける必要はない。
【００８７】
図１２は、粘着ラベルの他の例を概略的に示す断面図である。  
図１２に示す粘着ラベル３０は、印刷層１５０ａ及び１５０ｂの代わりに着色層１５０を含み、保護層１１０、回折構造形成層１７０、反射層１４０ｂ、接着層１００及びアンカー層１９０を更に含んでいること以外は、図１０を参照しながら説明した粘着ラベル３０と同様である。
【００８８】
保護層１１０と回折構造形成層１７０と反射層１４０ｂと接着層１００との積層体は、例えば、転写箔を用いた熱転写によって、アンカー層１９０上に貼り付けられている。この積層体には開口が設けられており、照合素子１０は、この開口の位置で、図１に示す画像ＩRを表示する。なお、接着層１００は、例えば熱可塑性樹脂からなる。
【００８９】
アンカー層１９０は、接着層１００と基材１１０’との間に介在している。アンカー層１９０は、上述した積層体と基材１１０’との密着性を高める。
【００９０】
粘着ラベル３０に回折構造を設ける場合、図１２を参照しながら説明したように、例えば転写箔を利用して、回折構造を含んだ積層体を基材１１０’に貼り付けてもよい。或いは、図１１を参照しながらした説明から明らかなように、基材１１０’上に、回折構造を含んだ積層体とマスク層１８０とランダムパターン１２０とを順次形成してもよい。
【００９１】
図１３は、粘着ラベルの更に他の例を概略的に示す断面図である。  
図１３に示す粘着ラベル３０は、印刷層１５０ａ及び１５０ｂの代わりに着色層１５０及び印刷層１５０ｃを含み、アンカー層１９０を更に含んでいること以外は、図１０を参照しながら説明した粘着ラベル３０と同様である。
【００９２】
印刷層１５０ｃは、脆性層１６０の背面を部分的に被覆している。照合素子１０は、印刷層１５０ｃの開口の位置で、図１に示す画像ＩRを表示する。
【００９３】
印刷層１５０ｃは、光学可変インキを印刷することによって得られる。光学可変インキから得られる層は、観察角度に応じて見え方が変化する。光学可変インキとしては、例えば、誘電体多層膜の粉砕物と樹脂との混合物を使用することができる。このように、光学可変インキからなる印刷層１５０ｃを設けると、照合素子１０の偽造がより困難となる。
【００９４】
アンカー層１９０は、脆性層１６０及び印刷層１５０ｃとランダムパターン１２０との間に介在している。アンカー層１９０は、ランダムパターン１２０の脆性層１６０及び印刷層１５０ｃへの密着性を高める。
【００９５】
図１４は、粘着ラベルの更に他の例を概略的に示す断面図である。  
図１４に示す粘着ラベル３０は、印刷層１５０ａ及び１５０ｂの代わりに着色層１５０及び印刷層１５０ｄを含み、基材１１０’の代わりに基材１１０’’を含んでいること以外は、図１０を参照しながら説明した粘着ラベル３０と同様である。
【００９６】
基材１１０’’は、光学可変フィルムである。光学可変フィルムは、観察角度に応じて見え方が変化する。光学可変フィルムとしては、例えば、誘電体多層膜を使用することができる。或いは、光学可変フィルムとして、分子を固定化したコレステリック液晶層を使用してもよい。このように、基材１１０’’として光学可変フィルムを使用すると、照合素子１０の偽造がより困難となる。
【００９７】
印刷層１５０ｄは、脆性層１６０の背面を部分的に被覆している。照合素子１０は、印刷層１５０ｄの開口の位置で、図１に示す画像ＩRを表示する。
【００９８】
印刷層１５０ｄは、着色層であり、典型的には黒色などの暗色である。印刷層１５０ｄは、光学可変フィルムの視覚効果を高める役割を果たす。印刷層１５０ｄは、省略してもよい。
【００９９】
図１５は、ラベル付き物品の一例を概略的に示す平面図である。  
図１５に示すラベル付き物品１は、照合素子１０と、これを支持した物品４０とを含んでいる。照合素子１０は、物品４０に貼り付けられている。
【０１００】
物品４０は、真偽判定する可能性があるものである。物品４０は、例えば、身分証明書及び免許証などの証明書、有価証券、電気製品などの工業製品、工芸品、美術品、又はこれらを包装材料で包装してなる包装体である。
【０１０１】
照合素子１０は、他の方法で物品４０に指示させてもよい。例えば、照合素子１０は、タグとして、鎖、紐及びリングなどの結合具を介して物品に支持させてもよい。或いは、照合素子１０は、物品中に埋め込んでもよい。
【０１０２】
この照合素子１０は、例えば、以下の方法により、物品の真偽判定に利用する。  
図１６は、ネットワークを利用した照合方法の一例を示す図である。
【０１０３】
照合素子１０を物品の真偽判定に利用する場合、図１６に示す製造業者Ｍは、例えば、図１５に示すように照合素子１０を物品４０に貼り付けることによって、物品４０に照合素子１０を支持させる。これにより、真正品としてのラベル付き物品１を製造する。
【０１０４】
また、図１６に示す製造業者Ｍは、物品４０に照合素子１０を支持させた後又は支持させる前に、この照合素子１０に付与されたコード、即ち、図１に示す画像ＩCを表示するコードと、この照合素子１０のランダムパターン１２０が表示する階調画像ＩRを、サーバＳのデータベースに登録しておく。
【０１０５】
階調画像ＩRを登録する代わりに、この階調画像ＩRを二値化してなる１つ以上の二値画像、例えば、図７に示す二値画像ＩR１及び図８に示す二値画像ＩR２の少なくとも一方をデータベースに登録してもよい。各二値画像は、階調画像ＩRと比較すれば、著しく情報量が少ない。従って、複数の二値画像を登録する場合であっても、階調画像ＩRを登録する場合と比較すると、サーバＳ及びネットワークなどへの負荷を大幅に低減することができる。
【０１０６】
或いは、階調画像ＩRをデータベースに登録する代わりに、この階調画像ＩRを二値化してなる１つ以上の二値画像の各々について、識別情報をデータベースに登録してもよい。なお、「識別情報」は、例えば、二値画像における複数の位置の各々について、そこが暗部及び明部の何れであるかを示す情報を含んでいる。各識別情報は、二値画像よりも情報量が更に少ない。従って、この場合、サーバＳ及びネットワークなどへの負荷を更に低減することができる。
【０１０７】
卸売業者Ｄは、納入されたラベル付き物品１に関する情報、例えば納入日及び出荷日を、サーバＳのデータベースに登録する。
【０１０８】
消費者Ｃは、例えば入手した物品の真偽に疑義がある場合に、以下の方法によりその物品の真偽を判定する。
【０１０９】
まず、この物品が照合素子１０を備えたラベル付き物品であるか否かを判断する。例えば、図１乃至図４を参照しながら説明した照合素子１０は、反射層１４０ａを含んでいるため、反射層１４０ａからの正反射光を観察できる条件と、この正反射光を観察できない条件とで、図１に示す画像ＩRの見え方が異なる。従って、この物品が、図１乃至図４を参照しながら説明したのと類似した素子を備えていたとしても、この素子が表示する画像が観察条件を変更することによって変化しなければ、この物品は図１乃至図４を参照しながら説明した照合素子１０を含んでいないと判断することができる。
【０１１０】
次に、画像ＩC及びＩRを、光学的に機械読み取りする。次いで、読み取った画像ＩCからコードを復号し、図１６に示すサーバＳのデータベースにこのコードと共に登録されている階調画像ＩRと、光学的に機械読み取りした画像ＩRとを対比する。
【０１１１】
光学的に機械読み取りした画像ＩRは、二値化してもよい。また、このようにして生成した二値画像から、上述したのと同様の識別情報を更に生成してもよい。そして、光学的に機械読み取りした画像ＩRに由来する二値画像又は識別情報を、データベースに登録されている二値画像及び識別情報の一方と対比してもよい。或いは、データベースに登録されている階調画像ＩRから二値画像を生成するか又はこの二値画像から識別情報を更に生成し、これを光学的に機械読み取りした画像ＩRに由来する二値画像及び識別情報の一方と対比してもよい。
【０１１２】
対比の結果、例えば、一致している割合が或る値を下回った場合には、このラベル付き物品は偽造品であると判断する。また、例えば、一致している割合が先の値以上である場合には、このラベル付き物品は真正品であると判断する。
【０１１３】
この方法において光学的に機械読み取りした画像ＩRを二値化する場合、この二値化のための閾値は、例えば、予め定められている値に設定する。複数の閾値を設定しておき、各閾値で得られる二値画像又は識別情報を上記の対比に利用すると、真偽判定の精度が向上する。また、真偽判定に複数の閾値を利用することを知らない偽造者にとっては、偽造がより困難になる。
【０１１４】
この方法では、データベースに階調画像ＩRを登録しておく場合、光学的に機械読み取りした画像ＩRを二値化するための閾値は、予め定められている値に設定してもよく、対比を行う毎に乱数発生を利用して得られる値に設定してもよい。
【実施例】
【０１１５】
以下、本発明の例を説明する。
【０１１６】
４５質量部のアクリル系ポリオールと、２０質量部のイソシアネート系硬化剤と、２０質量部の有機溶剤と、０．５質量部のシリコン系添加剤と、１５質量部の白色顔料とを混合して、エマルジョンを調製した。ここでは、アクリル系ポリオールとして加熱残分が３５質量％のプラスコート ＲＤ クリヤー Ｂ液（和信化学工業株式会社製）を使用し、イソシアネート系硬化剤として加熱残分が３５質量％のプラスコート ＲＤ クリヤー Ａ液（和信化学工業株式会社製）を使用した。また、有機溶剤としてはキシロールとメチルエチルケトンとを使用し、シリコン系添加剤としてはプラスコート ＲＤ 添加剤（和信化学工業株式会社製）を使用し、白色顔料としては酸化チタンを使用した。
【０１１７】
次に、このエマルジョンを、ポリエチレンテレフタレートフィルム上に塗布した。この塗布は、下地の面積に対する乾燥後の塗膜の質量の比が、１．０乃至４．５ｇ／ｍ2となるように行った。
【０１１８】
その後、この塗膜を１９０℃で２０秒間に亘って乾燥させた。このようにして、ポリエチレンテレフタレートフィルム上にランダムパターンを形成した。
【０１１９】
続いて、ランダムパターン上に、プラスコート Ｒ−ＬＫ クリヤー（和信化学工業株式会社製）を塗布した。この塗布は、下地の面積に対する乾燥後の塗膜の質量の比が、１．０乃至２．０ｇ／ｍ2となるように行った。
【０１２０】
次いで、この塗膜を１９０℃で３０秒間に亘って乾燥させた。このようにして、ランダムパターンを保護層で被覆した。
【０１２１】
その後、保護層上に、気相堆積法によりアルミニウムからなる反射層を形成した。以上のようにして、照合素子を完成した。
【０１２２】
この照合素子が表示する画像を、電荷結合素子画像センサを用いて５０倍の倍率で撮像した。その結果、図５及び図６に示したのと同様の画像が得られた。
以下に、出願当初の特許請求の範囲に記載していた発明を付記する。
［１］
溶媒及びこの溶媒中に溶解した重合性及び／又は架橋性材料を含んだ連続相と、前記重合性及び／又は架橋性材料と比較して前記溶媒に対する相溶性がより低い液状添加剤を含んだ分散相とからなるエマルジョンから塗膜を形成し、前記塗膜を硬化させることによって得られるランダムパターンを具備した照合素子。
［２］
前記ランダムパターンを光学的に読み取ることにより得られる階調画像を二値化してなる二値画像は、前記二値化に使用する閾値に応じて変化する［１］に記載の照合素子。
［３］
前記ランダムパターンは、前記重合性及び／又は架橋性材料の硬化物と、この硬化物中で分散した顔料及び／又は染料とを含んだ［１］又は［２］に記載の照合素子。
［４］
前記ランダムパターンと向き合った鏡面反射層を更に具備し、前記ランダムパターンは前記顔料及び／又は染料として白色顔料を含んだ［３］に記載の照合素子。
［５］
前記ランダムパターンは、前記重合性及び／又は架橋性材料の硬化物と、この硬化物中で分散した蛍光材料とを含み、白色光で照明して肉眼で観察した場合に、前記ランダムパターンに対応した画像を表示しない［１］又は［２］に記載の照合素子。
［６］
赤外光で照明して赤外線カメラで観察した場合に、前記ランダムパターンに対応した画像を表示し、白色光で照明して肉眼で観察した場合に、前記ランダムパターンに対応した画像を表示しない［１］又は［２］に記載の照合素子。
［７］
前記ランダムパターンに割り当てられた文字及び／又は符号を表示するコードパターンを更に具備した［１］乃至［６］の何れか１項に記載の照合素子。
［８］
前記液状添加剤はシリコン系添加剤を含んだ［１］乃至［７］の何れか１項に記載の照合素子。
［９］
［１］乃至［８］の何れか１項に記載の照合素子と、
前記照合素子と向き合った粘着層と
を具備した粘着ラベル。
［１０］
［１］乃至［８］の何れか１項に記載の照合素子を含んだ転写材層と、
前記転写材層を剥離可能に支持した基材と
を具備した転写箔。
［１１］
［１］乃至［８］の何れか１項に記載の照合素子と、
前記照合素子が貼り付けられた物品と
を具備したラベル付き物品。
【符号の説明】
【０１２３】
１…ラベル付き物品、１０…照合素子、２０…転写箔、３０…粘着ラベル、４０…物品、１００…接着層、１１０…保護層、１１０’…保護層、１１０’’…基材、１２０…ランダムパターン、１３０…保護層、１４０ａ…反射層、１４０ｂ…反射層、１５０…着色層、１５０ａ…印刷層、１５０ｂ…印刷層、１５０ｃ…印刷層、１５０ｄ…印刷層、１６０…脆性層、１７０…回折構造形成層、１８０…マスク層、１９０…アンカー層、２１０…支持体、３２０…粘着層、Ａ１…領域、Ａ２…領域、Ａ３…領域、Ｃ…消費者、Ｄ…卸売業者、ＩC…画像、ＩR…画像、ＩR１…画像、ＩR２…画像、Ｍ…製造業者、Ｓ…サーバ。
【図１】
0005444532.tif 000002
【図２】
0005444532.tif 000003
【図３】
0005444532.tif 000004
【図４】
0005444532.tif 000005
【図５】
0005444532.tif 000006
【図６】
0005444532.tif 000007
【図７】
0005444532.tif 000008
【図８】
0005444532.tif 000009
【図９】
0005444532.tif 000010
【図１０】
0005444532.tif 000011
【図１１】
0005444532.tif 000012
【図１２】
0005444532.tif 000013
【図１３】
0005444532.tif 000014
【図１４】
0005444532.tif 000015
【図１５】
0005444532.tif 000016
【図１６】
0005444532.tif 000017